(57)【要約】【課題】  何れの入力手段により設定情報を入力すればいいのかを明瞭にしつつ、設定情報を入力するための入力手段を柔軟に切り替える。【解決手段】    同一種類の情報を入力するキーボードや外付けのキーボードなどの複数の入力部を備え、表示画面に、小表示エリア６２Ａ、６２Ｂ及びアイコン表示エリア６４Ａ，６４Ｂを備え、アイコン表示エリア６２Ｂに表示されたアイコン１００Ｂを他のアイコン１００Ｃに変更可能にし、他のアイコン１００Ｃに変更され、新たに表示された他のアイコン１００Ｃに対応する入力部により情報が入力された場合、該入力部により入力された情報を小表示エリアに表示しているので、何れの入力部により情報を入力すればいいのかを明瞭にしつつ、情報を入力するための入力部を柔軟に切り替えることができる。【選択図】        図４
2006155232.tif 000002
【特許請求の範囲】
【請求項１】
設定情報を入力する入力手段の種類を表示する第１の表示部と、該第１の表示部で表示された該種類に対応する入力手段により入力された設定情報を表示する第２の表示部と、を備えた表示手段と、
前記設定情報を入力する入力手段が変更された場合には、変更された入力手段の種類が前記第１の表示部に表示されるように前記表示手段を制御する制御手段と、
を備えた操作表示装置。
【請求項２】
前記第１の表示部は、前記入力手段の種類を示す複数の図形を表示し、
前記制御手段は、
前記第１の表示部に表示された図形を他の図形に変更する変更指示信号を入力し、前記第１の表示部に表示された前記図形が、該変更指示信号により変更指示された該他の図形に変更されるように前記表示手段を制御する、
ことを特徴とする請求項１記載の操作表示装置。
【請求項３】
前記表示手段は、前記第１の表示部及び前記第２の表示部以外の第１の表示領域、又は、前記第１の表示部を含む第２の表示領域に、前記複数の図形を表示し、
前記前記第１の表示部に表示された図形を、前記第１の表示領域又は前記第２の表示領域に表示された複数の図形の内の１つの図形に変更指示する指示手段を備え、
前記制御手段は、前記指示手段に前記変更指示により前記変更指示信号を入力する、
ことを特徴とする請求項２記載の操作表示装置。
【請求項４】
前記表示手段は、前記第１の表示部及び前記第２の表示部を、複数の設定情報各々毎に備えたことを特徴とする請求項１乃至請求項３の何れか１項に記載の操作表示装置。
【発明の詳細な説明】
【技術分野】
【０００１】
本発明は、操作表示装置にかかり、より詳細には、入力手段から設定情報が入力された場合、入力された設定情報を表示する操作表示装置に関する。
【背景技術】
【０００２】
従来、スキャン機能、ファックス機能、Ｅメール機能等の複数の機能を備えたデジタル複合機における表示パネルには、押しボタン式のテンキーや、アドレスを指定するためのフリップカード等と、これらのテンキーやフリップカードにより入力された情報を表示する表示エリア等を備えている。例えば、スキャン及びＥメール等の機能が選択された場合には、スキャン枚数として、入力部からスキャン枚数を入力し、宛先として、フリップカードからイメージデータを送信するアドレスとを入力する。スキャン枚数や送信先のアドレスが入力されると、各々の入力された情報を表示するための表示エリアに、入力された情報を表示するようにしている。
【０００３】
なお、関連する技術としては、トラックパッドで操作フォーカスを切り替える装置がある（特許文献１参照）。
【０００４】
ここで、スキャン枚数や送信先の情報をいずれの入力装置から入力していいのか分からなくならないようにするため、入力部から入力された情報を表示する表示部の近傍に、該入力部を図案化したアイコンを表示することが行われている。
【特許文献１】特開２００３‐３４８３７１公報
【発明の開示】
【発明が解決しようとする課題】
【０００５】
しかしながら、同一の情報を入力する入力部は１つとは限らず、複数備える場合もある。このような場合、アイコンを表示するエリアに常に同一のアイコンを表示すると、当該アイコンに対応する入力部しか利用できないことになる。
【０００６】
本発明は、上記事実に鑑み成されたもので、何れの入力手段により設定情報を入力すればいいのかを明瞭にしつつ、設定情報を入力するための入力手段を柔軟に切り替えることの可能な操作表示装置を提供することを目的とする。
【課題を解決するための手段】
【０００７】
上記目的を達成するために請求項１に記載の発明の操作表示装置は、設定情報を入力する入力手段の種類を表示する第１の表示部と、該第１の表示部で表示された該種類に対応する入力手段により入力された設定情報を表示する第２の表示部と、を備えた表示手段と、前記設定情報を入力する入力手段が変更された場合には、変更された入力手段の種類が前記第１の表示部に表示されるように前記表示手段を制御する制御手段と、を備えている。
【０００８】
即ち、本発明の表示手段は、第１の表示部と第２の表示部とを備えている。第１の表示部は、設定情報を入力する入力手段の種類を表示する表示部であり、第２の表示部は、該第１の表示部で表示された該種類に対応する入力手段により入力された設定情報を表示する表示部である。
【０００９】
ここで、同一種類の設定情報を入力する複数の入力手段を備えると、何れの入力手段により設定情報を入力すればいいのか分からなくなる場合がある。仮に、各々異なる複数の設定情報各々に対し、該設定情報を入力する複数の入力手段を備えた場合には、尚更、何れの入力部により設定情報を入力すればいいのか分からなくなる場合がある。
【００１０】
そこで、本発明では、上記のように、第１の表示部に、設定情報を入力する入力手段の種類を表示する。従って、ユーザは、第１の表示部に表示された入力手段の種類から、何れの入力手段から情報を入力するればいいのかを把握することができる。
【００１１】
そして、本発明の第２の表示部は、第１の表示部で表示された種類に対応する入力手段により設定情報が入力されると、該入力された設定情報を表示する。
【００１２】
ところで、上記設定情報を入力するための入力手段を切り替えたいとユーザが思う場合もある。
【００１３】
そこで、制御手段は、設定情報を入力する入力手段が変更された場合には、変更された入力手段の種類が第１の表示部に表示されるように表示手段を制御する。なお、第１の表示部に表示された入力手段の種類が他の入力手段の種類に変更されると、制御手段は、他の入力手段により設定情報が入力された場合、該入力された設定情報が第２の表示部に表示されるように表示手段を制御する。
【００１４】
このように、設定情報を入力する入力手段が変更された場合、第１の表示部に表示された入力手段の種類を変更された他の入力手段の種類に変更し、他の入力手段により設定情報が入力された場合、該入力された設定情報を第２の表示部に表示するるので、何れの入力手段により設定情報を入力すればいいのかを明瞭にしつつ、設定情報を入力するための入力手段を柔軟に切り替えることができる。
【００１５】
ところで、請求項２のように、前記第１の表示部は、前記入力手段の種類を示す複数の図形を表示し、前記制御手段は、前記第１の表示部に表示された図形を他の図形に変更する変更指示信号を入力し、前記第１の表示部に表示された前記図形が、該変更指示信号により変更指示された該他の図形に変更されるように前記表示手段を制御するようにしてもよい。この場合、請求項３のように、前記表示手段は、前記第１の表示部及び前記第２の表示部以外の第１の表示領域、又は、前記第１の表示部を含む第２の表示領域に、前記複数の図形を表示し、前記前記第１の表示部に表示された図形を、前記第１の表示領域又は前記第２の表示領域に表示された複数の図形の内の１つの図形に変更指示する指示手段を備え、前記制御手段は、前記指示手段の前記変更指示により前記変更指示信号を入力する。
【００１６】
また、請求項４のように、前記表示手段は、前記第１の表示部及び前記第２の表示部を、複数の設定情報各々毎に備えるようにしてもよい。
【発明の効果】
【００１７】
以上説明したように本発明によれば、設定情報を入力する入力手段が変更された場合、第１の表示部に表示された入力手段の種類を変更された他の入力手段の種類に変更し、他の入力手段により設定情報が入力された場合、該入力された設定情報を第２の表示部に表示するるので、何れの入力手段により設定情報を入力すればいいのかを明瞭にしつつ、設定情報を入力するための入力手段を柔軟に切り替えることができる、という効果がある。
【発明を実施するための最良の形態】
【００１８】
以下、図面を参照して本発明の実施の形態の一例を詳細に説明する。
【００１９】
図１に示すように、本実施の形態に係る操作表示装置は、図示しないデジタル複合機に接続されている。操作表示装置は、デジタル複合機に対して、複数の処理、例えば、スキャン機能、コピー機能、スキャン及びＥメール機能、及び、スキャン及びファックス機能のそれぞれの処理の内容を指示するための情報を入力するための複数の入力部としてのテンキー１２、及び宛先指定パネル（フリップカード）２２等を備えている。
【００２０】
なお、操作表示装置は、この他に、クリアーキー１４、ヘルプキー１６、ストップキー１８、スタートキー２０を備えている。また、操作表示装置は、テンキー１２や宛先指定パネル２２により指定された情報を表示する表示手段としての、タッチパネル式の表示画面１０を備えている。
【００２１】
図２に示すように、本実施の形態に係る操作表示装置の制御系は、前述したテンキー１２や宛先指定パネル２２からのデータを入力し、表示画面１０を制御する制御部２８を備えている。具体的には、制御部２８は、表示画面１０を制御する表示制御部を介して制御する。なお、表示画面１０の表示エリアをカバーするように、表示画面１０の接触を検知する検知手段としてのタッチパネル２４が設けられている。
【００２２】
なお、制御部２８には、外付けのキーボードと接続するための入力端子３０が接続されている。
【００２３】
次に、本実施の形態の作用を説明する。
【００２４】
本実施の形態の操作表示装置の表示画面１０における初期画面では、デジタル複合機の複数の機能を指定するための表示エリアが表示されている。例えば、ある表示エリアは、原稿をスキャン（Scan）した後、スキャンにより得られたイメージデータを電子メール（E-mail）送信することを示すScan to E-Mailの機能を表示し、別の表示エリアは、原稿をスキャン（Scan）した後、スキャンにより得られたイメージデータをファックス送信することを示すScan to Faxを表示し、更に別の表示エリアは、スキャンを表示し、別の表示エリアあｈコピーを表示している。
【００２５】
このような状態で、例えば、ユーザが、デジタル複合機にScan to E-Mail機能を指示しようとする場合には、ユーザは、Scan to E-Mailを表示する表示エリアを指でタッチする。このように、表示エリアの何れかがユーザによりタッチされたとタッチパネルが検知した場合には、図３に示す処理内容指定処理プログラムがスタートし、ステップ４２で、図１に示すように、タッチされた表示エリアに対応する処理の内容を指定するための処理内容指定画面を表示する。図１は、Scan to E-Mailを表示する表示エリアがタッチされたと検知された場合に表示される、Scan to E-Mailの処理内容指定画面が示されている。本実施の形態では、この処理内容指定画面には、スキャン枚数及び送信先を表示する第１の表示部としての小表示エリア６２Ａ、６２Ｂが表示されている。また、小表示エリア６２Ａ、６２Ｂ各々の近傍には、小表示エリア６２Ａ、６２Ｂ各々に対応する複数の入力部各々を図案化した複数の図形の内の１つの図形を表示する第２の表示部としてのアイコン表示エリア６４Ａ、６４Ｂが表示されている。なお、図１には、アイコン表示エリア６４Ａ、６４Ｂには、テンキー１２が図案化されたアイコン１００Ａ、フリップカード２２を図案化したアイコン１００Ｂがそれぞれ表示された例が示されている。
【００２６】
次のステップ４４で、小表示エリアがタッチされたか否かを判断し、タッチされていないと判断された場合には、ステップ５２で、テンキー１２、フリップカード２２、及び外付けのキーボードなどの複数の入力部の内の何れかの入力部を介してデータが入力されたか否かを判断し、データが入力されていないと判断された場合には、ステップ５４で、スタートキー２０がＯＮとなったか否かをを判断し、スタートキー２０がＯＮとなっていないと判断された場合には、ストップキー１８がＯＮされたか否かを判断する。ストップキー１８がＯＮされていないと判断された場合には、ステップ３６に戻る。
【００２７】
例えば、図４に示すように、小表示エリア６２Ａ、６２Ｂの何れか、例えば、フリップカード２２には定められていないアドレスを入力するため、フリップカード２２から切り替えて、外付けのキーボードを入力部として変更する等のため、小表示エリア６２Ｂがタッチされた場合には、これをタッチパネル２４が検知し、ステップ４４が肯定判定となる。なお、小表示エリア６２Ａ、６２Ｂに代えてアイコン表示エリア６４Ａ、６４Ｂがタッチされたか否かを判断するようにしてもよい。
【００２８】
上記ステップ４４が肯定判定となった場合には、ステップ４６で、図４に示すように、小表示エリア６２Ｂを含む領域に、複数の入力部各々を図案化した複数の図形を一覧表示するプルダウンメニュー７０を表示する。図４に示すように、このプルダウンメニュー７０には、送信先（アドレス）を入力可能な入力部としてのフリップカード２２を図案化したアイコン１００Ｂ、外付けのキーボードを図案化したアイコン１００Ｃなどが表示される。
【００２９】
次のステップ４８で、プルダウンメニュー７０において一覧表示された上記アイコンン１００Ｂ、１００Ｃ等の何れかが、ユーザがタッチすることにより、選択されたか否かを判断する。図５に示すように、表示されたアイコンをユーザがタッチして選択した場合には、タッチパネル２４から選択信号が制御部２８に入力され、これにより、ステップ４８が肯定判定となり、ステップ５０で、選択されたアイコンを、アイコン表示エリアに表示する。即ち、図５に示すように、ユーザが、例えば、外付けのキーボードを図案化したアイコン１００Ｃを選択した場合には、選択されたアイコン１００Ｃを、アイコン表示エリア６４Ｂに表示する。即ち、上記のように、フリップカード２２を図案化したアイコン１００Ｂであったものを、図６に示すように、外付けのキーボードを図案化したアイコン１００Ｃに変更する。
【００３０】
一方、入力部が操作されたと判断された場合には、ステップ５２が肯定判定され、ステップ５８で、入力部を介して入力された情報を、入力部に対応する小表示エリアに表示する。即ち、例えば、外付けのキーボードから、フリップカード２２には定められていないアドレス（××@××.××）を入力する。このように、アドレス（××@××.××）が入力されると、図７に示すように、入力されたアドレス（××@××.××）を表示する。そして、処理はステップ４４に戻る。
【００３１】
スタートキー２０がＯＮされた場合には、ステップ５４が肯定判定され、ステップ６０で、入力部により入力された処理内容を指定するデータを、デジタル複合機本体に送信することにより処理実行を指示する。
【００３２】
なお、ストップキー１８がＯＮされた場合には、本プログラムを終了する。
【００３３】
以上説明したように本実施の形態によれば、同一種類の情報を入力するキーボードや外付けのキーボードなどを備える場合、表示画面に、小表示エリア及びアイコン表示エリアを備え、アイコン表示エリアに表示されたアイコンを他のアイコンに変更可能にし、他のアイコンに変更され、新たに表示されたアイコンに対応する入力部により情報が入力された場合、該入力部により入力された情報を小表示エリアに表示しているので、何れの入力部により情報を入力すればいいのかを明瞭にしつつ、情報を入力するための入力部を柔軟に切り替えることができる。
【００３４】
次に本実施の形態の変形例を説明する。
【００３５】
まず、第１の変形例を説明する。第１の変形例では、他のアイコン表示エリアに表示されているアイコンと、変更したいアイコン表示エリアに表示されているアイコンとを入れ替えるものである。
【００３６】
即ち、まず、図８に示すように、他のアイコン表示エリア６４Ｂに表示されているアイコン１００Ｃをポイント（タッチ、タップ）し、その状態で、図９に示すように、アイコン１００Ｃを、変更したいアイコン表示エリア６４Ａまで移動（ストローク）させる。アイコン１００Ｃが、図１０に示すように、変更したいアイコン表示エリア６４Ａまで移動し、ユーザがタッチを解除すると、アイコン表示エリア６４Ａに表示されているアイコン１００Ａと、アイコン表示エリア６４Ｂに表示されているアイコン１００Ｃとを入れ替える。
【００３７】
次に、第２の変形例を説明する。第２の変形例では、図１１に示すように、小表示エリア６２Ａ、６２Ｂ、及びアイコン表示エリア６４Ａ、６４Ｂ以外のエリアに、本操作表示装置の入力部のアイコン１００Ａ〜１００Ｃを表示し、表示されたアイコン１００Ａ〜１００Ｃを用いて、アイコン表示エリアに表示されているアイコンを変更するものである。
【００３８】
即ち、まず、図１２に示すように、所望のアイコン１００Ｃをユーザがタッチし、この状態で、アイコン１００Ｃを、変更したいアイコン表示エリア６４Ｂまで移動する。アイコン１００Ｃが、図１３に示すように、変更したいアイコン表示エリア６４Ｂまで移動し、ユーザがタッチを解除すると、アイコン表示エリア６４Ｂに表示されているアイコン１００Ｃを、移動されたアイコン１００Ｃに変更する。
【図面の簡単な説明】
【００３９】
【図１】操作表示装置の正面図である。
【図２】操作表示装置のブロック図である。
【図３】処理内容指定プログラムを示すフローチャートである。
【図４】本実施の形態の作用を説明する図である。
【図５】本実施の形態の作用を説明する図である。
【図６】本実施の形態の作用を説明する図である。
【図７】本実施の形態の作用を説明する図である。
【図８】第１の変形例の作用を説明する図である。
【図９】第１の変形例の作用を説明する図である。
【図１０】第１の変形例の作用を説明する図である。
【図１１】第２の変形例の作用を説明する図である。
【図１２】第２の変形例の作用を説明する図である。
【図１３】第２の変形例の作用を説明する図である。
【符号の説明】
【００４０】
１０  表示画面（タッチパネル式）
１２  テンキー
１４  クリアキー
１６  ヘルプキー
１８    ストップキー
２０    スタートキー
２２    宛先指定パネル
２４    タッチパネル
２６    表示制御部
２８    制御部（制御手段）
６２Ａ、６２Ｂ    小表示エリア（第２の表示部）
６４Ａ、６４Ｂ    アイコン表示エリア（第１の表示部）
【図１】
2006155232.tif 000003
【図２】
2006155232.tif 000004
【図３】
2006155232.tif 000005
【図４】
2006155232.tif 000006
【図５】
2006155232.tif 000007
【図６】
2006155232.tif 000008
【図７】
2006155232.tif 000009
【図８】
2006155232.tif 000010
【図９】
2006155232.tif 000011
【図１０】
2006155232.tif 000012
【図１１】
2006155232.tif 000013
【図１２】
2006155232.tif 000014
【図１３】
2006155232.tif 000015